(57)【要約】【課題】電源が入っている状態での運搬を防止することができる機器及び画像形成装置を提供すること。【解決手段】筺体３に、運搬用の取手口７と機械本体の電源スイッチ５とを設けた機器１において、取手口７を遮蔽する開閉可能な遮蔽部材９と、遮蔽部材９を閉じ位置に付勢する付勢部材１７と、閉じ位置にある遮蔽部材９が開き位置に移動するのを阻止する阻止部材２３とを備え、阻止部材２３は電源スイッチ５のＯＦＦに連動して遮蔽部材９の開きを許可する許可位置に移動し、電源スイッチ５のＯＮに連動して遮蔽部材９の開きを阻止する阻止位置に移動する。【選択図】図１
2010160190.tif 000002
【特許請求の範囲】
【請求項１】
筺体に、運搬用の取手口と機械本体の電源スイッチとを設けた機器において、取手口を遮蔽する開閉可能な遮蔽部材と、遮蔽部材を閉じ位置に付勢する付勢部材と、閉じ位置にある遮蔽部材が開き位置に移動するのを阻止する阻止部材とを備え、阻止部材は電源スイッチのＯＦＦに連動して遮蔽部材の開きを許可する許可位置に移動し、電源スイッチのＯＮに連動して遮蔽部材の開きを阻止する阻止位置に移動することを特徴とする機器。
【請求項２】
前記電源スイッチはＯＮ位置とＯＦＦ位置とに変位するスイッチ部材であり、阻止部材はスイッチ部材に一端が連結してあり、スイッチ部材がＯＮ位置にあるときには阻止部材の他端が前記阻止位置に移動し、ＯＦＦ位置にあるときに阻止部材の他端が前記許可位置に移動することを特徴とする請求項１に記載の機器。
【請求項３】
前記阻止部材を駆動するソレノイドを備え、阻止部材は回動軸を中心に回動可能に設けてあり、一端がソレノイドに連結してあり、他端が付勢部材により前記許可位置に向けて付勢してあり、電源スイッチがＯＮ位置にあるときにはソレノイドに通電して移動阻止部材の他端を前記阻止位置に移動し、電源スイッチがＯＦＦ位置にあるときにはソレノイドへの通電を停止して付勢部材の付勢力により阻止部材の他端を前記許可位置に移動することを特徴とする請求項１に記載の機器。
【請求項４】
請求項１〜３の何れか一項に記載の機器であって、シートに画像を形成することを特徴とする画像形成装置。
【発明の詳細な説明】
【技術分野】
【０００１】
本発明は、取手を把持して運搬する機器及び画像形成装置に関する。
【背景技術】
【０００２】
特許文献１には、筺体に形成された取手口の内側に運搬用の取手を設け、取手口をキャップで塞ぐことが開示されている。
【０００３】
特許文献２には、筺体に形成された取手口を塞ぐキャップを開くと、取手口の内側に設けた取手が筺体から飛び出すことが開示されている。
【０００４】
特許文献３には、筺体に設けた取手口から取手を出没自在に設けて、取手を突出させたときに取手に上向きの力が作用しなくなったときに取手が没することが開示されている。
【先行技術文献】
【特許文献】
【０００５】
【特許文献１】特開２００６−２２２３０１号公報
【特許文献２】特開２０００−９４７９０号公報
【特許文献３】特開２０００−２５８９６９号公報
【発明の概要】
【発明が解決しようとする課題】
【０００６】
しかし、上述した何れの特許文献においても、取手は機器の電源入っているいないに関わらず使用できてしまうため、機器の電源が入ったまま運搬が行われことが可能である。この為、電源が入ったままの状態に気が付かないで、ユーザ等が機器を運搬（又は移動）すると、ショートや損傷の原因になったり、感電の原因になるという問題があった。
【０００７】
本発明は、以上の事情に鑑みなされたものであり、電源が入っている状態での運搬を防止することができる機器の提供を目的とする。
【課題を解決するための手段】
【０００８】
本発明は、筺体に、運搬用の取手口と機械本体の電源スイッチとを設けた機器において、取手口を遮蔽する開閉可能な遮蔽部材と、遮蔽部材を閉じ位置に付勢する付勢部材と、閉じ位置にある遮蔽部材が開き位置に移動するのを阻止する阻止部材とを備え、阻止部材は電源スイッチのＯＦＦに連動して遮蔽部材の開きを許可する許可位置に移動し、電源スイッチのＯＮに連動して遮蔽部材の開きを阻止する阻止位置に移動することを特徴とする。
【発明の効果】
【０００９】
本発明によれば、取手口を遮蔽部材で閉じており、電源スイッチがＯＮのときには阻止部材により遮蔽部材が開くのを阻止し、電源スイッチがＯＦＦのときにのみ、阻止部材が退避して遮蔽部材が開くのを許容するので、電源が入っている状態での機器の運搬を防止することができる。
【図面の簡単な説明】
【００１０】
【図１】第１実施の形態において阻止部材が遮蔽部材の開きを阻止する阻止位置にある状態を示し、（ａ）は取手を設けてある筺体部分の断面図であり、（ｂ）は電源スイッチ、阻止部材及び遮蔽部材の関係を示す断面図である。
【図２】第１実施の形態において阻止部材が遮蔽部材の開きを許可する許可位置にある状態を示し、（ａ）は取手を設けてある筺体部分の断面図であり、（ｂ）は電源スイッチ、阻止部材及び遮蔽部材の関係を示す断面図である。
【図３】第１実施の形態に係る画像形成装置の斜視図である。
【図４】第２実施の形態の概略構成を示し、（ａ）は阻止部材が遮蔽部材の開きを阻止する阻止位置にある状態を示し、（ｂ）は阻止部材が遮蔽部材の開きを許可する許可位置にある状態を示す図である。
【図５】遮蔽部材の正面図であり、（ａ）（ｂ）はそれぞれ変形例を示す図である。
【発明を実施するための形態】
【００１１】
以下に、添付図面を参照して本発明に係る実施の形態を説明するが、まず図１〜図３を参照して本発明の第１実施の形態について説明する。
【００１２】
本実施の形態に係る画像形成装置（機器）１は、複写機能、プリンター機能及びファックス機能を兼ね備える複合機である。
【００１３】
図３に示すように、画像形成装置１の筺体３には、その正面下部に電源スイッチ（主電源スイッチ）５が設けてあり、左右の側面下部には運搬（又は移動）用の取手口（開口）７が設けてある。尚、図３では取手口７に設けてある遮蔽部材９は開いた状態（図２（ａ）参照）を示している。
【００１４】
図２（ａ）に示すように、取手口７の奥には取手１１が形成されており、取手口７の下部には取手口７を開閉する遮蔽部材９が設けられている。遮蔽部材９は下端に設けた回動軸１６を中心に回動して図１（ａ）に示す閉じ位置と、図２（ｂ）に示す開位置とに移動自在になっている。尚、遮蔽部材９は開位置にあるときに、図２（ａ）に示すように、筺体３に設けた係止部１５に係止してそれ以上回動しないように制限されている。
【００１５】
遮蔽部材９の回動軸には付勢部材１７が設けてあり、遮蔽部材９を図１（ａ）に示す閉位置に向けて付勢している。付勢部材１７は本実施の形態ではねじりスプリングであり、一端１７ａが遮蔽部材１７に係止してあり、他端１７ｂが筺体３に係止してある。
【００１６】
図１（ｂ）に示すように電源スイッチ５はＯＮ／ＯＦＦで変位するスイッチ部材１９を有しており、このスイッチ部材１９は回動軸２１を中心にしてＯＮ側部１９ａとＯＦＦ側部１９ｂとが回動して変位するものであり、ＯＮ側部１９ａには阻止部材２３の一端部２３ａが連結されており、他端部２３ｂは遮蔽部材９の裏面に出没摺るように配置されている。阻止部材２３は案内部材２４によりその水平方向へスライドするように案内されている。
【００１７】
次に、第１実施の形態に係る画像形成装置（機器）１の作用、効果について説明する。遮蔽部材９は、付勢部材１７により閉位置方向に付勢されて図１（ａ）に示すように取手口７を閉じている。
【００１８】
電源スイッチ５がＯＮ状態にあるときには、図１（ｂ）に示すように、スイッチ部材１９のＯＮ側部１９ａが筺体１の奥側に変位しており、ＯＮ側部１９ａに一端２３ａを連結している阻止部材２３はその他端（先端）２３ｂを遮蔽部材９の裏側に位置して、遮蔽部材９が開位置に回動するのを阻止している。
【００１９】
従って、電源スイッチ５がＯＮ状態にあるときには、遮蔽部材９を筺体３の外側から押しても遮蔽部材９を開くことができないので、ユーザ等は取手１１を把持することができない。
【００２０】
一方、電源スイッチ５をＯＦＦにしたときには、図２（ｂ）に示すように、スイッチ部材１９のＯＦＦ側部１９ｂが押されることにより、ＯＮ側部１９ａは回動軸２１を中心に筺体３の外側に回動して筺体３の外側に変位し、阻止部材２３を矢印Ｆで示すよう移動し、阻止部材２３の他端２３ｂを遮蔽部材９の裏面から離れる許可位置に移動する。これにより、遮蔽部材９の回動が許容される。
【００２１】
遮蔽部材９の回動が許容された状態で、筺体３の外側から遮蔽部材９を指で押し込むと、遮蔽部材９が指（図中二点鎖線で示す）に押されて奥側に回動し、図２（ａ）に示すように、取手１１を把持することができる。そして、取手１１を把持して画像形成装置１を運搬（又は移動）する。
【００２２】
本実施の形態によれば、取手口７を遮蔽部材９で閉じており、電源スイッチ５がＯＮのときには阻止部材２３により遮蔽部材９が開くのを阻止し、電源スイッチ５がＯＦＦのときにのみ、阻止部材２３が退避して遮蔽部材９が開くのを許容するので、電源が入っている状態での画像形成装置１の運搬（又は移動）を防止することができる。
【００２３】
また、本実施の形態では、スイッチ部材１９に阻止部材２３を連結してスイッチ部材１９のＯＮ／ＯＦＦ動作に連動して阻止部材２３が遮蔽部材９の裏面に位置したり退避する構成としているので、構成が簡易である。
【００２４】
以下に本発明の他の実施の形態を説明するが、以下に説明する実施の形態において、上述した第１実施の形態と同一の作用効果を奏する部分には同一の符号を付することによりその部分の詳細な説明を省略し、以下の説明では第１実施の形態と主に異なる点を説明する。図４を参照して第２実施の形態を説明する。図４は第２実施の形態の概略構成を示し、（ａ）は阻止部材が遮蔽部材の開きを阻止する阻止位置にある状態を示し、（ｂ）は阻止部材が遮蔽部材の開きを許可する許可位置にある状態を示す図である。
【００２５】
第２実施の形態では、阻止部材２３はその長手方向略中央部に回動軸２５を設けてあり、一端部２３ａにソレノイド２７の駆動軸２７ａが連結されている。阻止部材２３の他端にはスプリング（付勢部材）２９が連結してあり、阻止部材２３の他端２３ｂを遮蔽部材９の裏面から離れる方向（許可位置）に常時付勢している。
【００２６】
ソレノイド２７は電源スイッチ５がＯＮ状態のときには電源から電流が流れて図４（ａ）に示すように、駆動軸２７ａをスプリング２９の付勢力に抗して引き込み、阻止部材２３の他端２３ｂが遮蔽部材９の裏面に位置して、遮蔽部材９が開くのを阻止する。
【００２７】
一方、電源スイッチ５がＯＦＦ状態のときには、ソレノイド２７には電流が流れないので、図４（ｂ）に示すように、スプリング２９の付勢力に順じて阻止部材２３の他端２３ｂは遮蔽部材９の裏面から離れる許可位置に移動し、遮蔽部材９が開くのを許可する。
【００２８】
この第２実施の形態によっても上述した第１実施の形態と同様の作用効果を得ることができる。
【００２９】
本発明は上述した実施の形態に限定されず、本発明の要旨を逸脱しない範囲において種々変形可能である。
【００３０】
例えば、第１実施の形態において、付勢部材１７はねじりスプリングに限らず、板バネであっても良い。
【００３１】
取手１１は取手口７の上端部に形成したが、これに限らず取手口７と別体に設けるものであっても良い。
【００３２】
遮蔽部材９は、図５（ａ）に示すようなスリット３１を形成したものであっても良いし、図５（ｂ）に示すように金網３３を設けたものであっても良いし、形状は限定されない。
【符号の説明】
【００３３】
１    画像形成装置
３    筺体
５    電源スイッチ
７    取手口
９    遮蔽部材
１１  取手
１７  付勢部材
１９  スイッチ部材
２３  阻止部材
２７  ソレノイド
２９  スプリング（付勢部材）
【図１】
2010160190.tif 000003
【図２】
2010160190.tif 000004
【図３】
2010160190.tif 000005
【図４】
2010160190.tif 000006
【図５】
2010160190.tif 000007